(57)【要約】    【課題】  撮影画像のモニタ表示を表示先解像度に対応したデータ量で出力する。ＴＦＴ表示時には水平補間を施してからにＶＲＡＭからの読み出しデータ量を減らす。    【解決手段】  表示先は、ビデオ出力による外部接続のＴＶモニタ表示あるいはＴＦＴ（カメラ背面パネル）表示のいずれか。ＴＦＴ表示時には中間処理で水平補間を施して、ＶＲＡＭからの読み出しデータ量を減らす。ビデオ出力時と比べ、現状では１／４が目安となる。また、ビデオ出力時であっても連写などのカメラ動作速度優先であれば画像の解像度を下げる。その際は、ＴＦＴ表示モード時と同じ処理動作を行う。ＶＲＡＭはシステムに接続された大容量ＲＡＭの内部に形成されているので、ＶＲＡＭからの読み出しデータ量軽減で、バス使用量が軽減され、その分システムパフォーマンスがアップする。  【選択図】      図１
2005150835.tif 000002
【特許請求の範囲】
【請求項１】
複数の光電変換素子が２次元に配設された撮像素子を含み、被写体領域からの光束を撮影素子に受けて電気信号に変換し像信号を出力する撮像手段と、前記撮像手段からの像信号を受けて、互いに独立な関連付けされた第１の画像デ−タと第１の画像デ−タのデ−タ量よりも少ない第２の画像デ−タを出力する画像処理手段と、モニタ表示向け画像を表示するモニタ表示手段と、第１と第２のモニタ表示先があって、いづれか選択されたモニタ表示先に応じたデ−タ量でモニタ表示画像を作成し、モニタ表示画像表示先に出力する制御を行う表示制御手段と、表示制御手段に従い、第２の画像デ−タのデ−タ量よりも多く、かつ第１の画像デ−タのデ−タ量よりも少ない第３の画像デ−タを第１の画像デ−タから生成、出力するところのモニタ表示画像生成手段と、を備え、第１のモニタへの表示時には、第２の画像デ−タに補間処理を施して出力する制御を行い、第２のモニタへの表示時には、第３の画像デ−タを出力する制御を行うことを特徴とする画像処理装置。
【請求項２】
複数の光電変換素子が２次元に配設された撮像素子を含み、被写体領域からの光束を撮影素子に受けて電気信号に変換し像信号を出力する撮像手段と、前記撮像手段からの像信号を受けて、互いに独立な関連付けされた第１の画像デ−タと第１の画像デ−タのデ−タ量よりも少ない第２の画像デ−タを出力する画像処理手段と、モニタ表示向け画像を表示するモニタ表示手段と、を備え、第１と第２のモニタ表示先があって、いづれか選択されたモニタ表示先に応じたデ−タ量でモニタ表示画像を作成し、モニタ表示画像表示先に出力する制御を行う表示制御手段と、表示制御手段に従い、第２の画像デ−タのデ−タ量よりも多く、かつ第１の画像デ−タのデ−タ量よりも少ない第３の画像デ−タを第１の画像デ−タから生成、出力するところのモニタ表示画像生成手段とを備えたデジタルカメラシステムであって、カメラに備えられたモニタである第１のモニタへの表示時には、第２の画像デ−タに水平補間処理を施して出力する制御を行い、カメラとは別体の第２のモニタへの表示時には、第３の画像デ−タを出力する制御を行うことを特徴とするデジタルカメラシステム。
【請求項３】
複数の光電変換素子が２次元に配設された撮像素子を含み、被写体領域からの光束を撮影素子に受けて電気信号に変換し像信号を出力する撮像手段と、前記撮像手段からの像信号を受けて、互いに独立な関連付けされた第１の画像デ−タと第１の画像デ−タのデ−タ量よりも少ない第２の画像デ−タを出力する画像処理手段と、モニタ表示向け画像を表示するモニタ表示手段と、モニタ表示向け画像デ−タ記憶領域を内部に有する記憶手段と、着脱可能であり、画像処理手段の出力である第１の画像デ−タと、第１の画像デ−タのデ−タ量よりも少ない第２の画像デ−タとを記憶している不揮発性記憶手段と、カメラに備えられた第１の表示モニタと、カメラとは別体の第２の表示モニタがあって、いづれか一方の選択された表示モニタに応じたデ−タ量でモニタ表示画像を作成し、記憶手段により画像デ−タ記憶領域に記憶させた後、これを読み出してモニタ表示画像表示先に繰り返し出力する制御を行う表示制御手段と、表示制御手段に従い、第２の画像デ−タのデ−タ量よりも多く、かつ第１の画像デ−タのデ−タ量よりも少ない第３の画像デ−タを第１の画像デ−タから生成、出力するところのモニタ表示画像生成手段とを備えたデジタルカメラシステムであって、第１の表示モニタへの表示時には、第２の画像デ−タに水平補間処理を施して出力する制御を行い、カメラとは別体の第２の表示モニタへの表示時には、第３の画像デ−タを出力する制御を行うことを特徴とするデジタルカメラシステム。
【請求項４】
複数の光電変換素子が２次元に配設された撮像素子を含み、被写体領域からの光束を撮影素子に受けて電気信号に変換し像信号を出力する撮像手段と、
前記撮像手段からの像信号を受けて、互いに独立な関連付けされた第１の画像デ−タと第１の画像デ−タのデ−タ量よりも少ない第２の画像デ−タを出力する画像処理手段と、モニタ表示向け画像を表示するモニタ表示手段と、モニタ表示向け画像デ−タ記憶領域を内部に有する記憶手段と、カメラに備えられた表示モニタである第１の表示モニタとカメラとは別体の第２の表示モニタがあって、いづれか一方の選択された表示モニタにカメラの動作モ−ドに応じて選択されたデ−タ量でモニタ表示画像を作成し、記憶手段により画像デ−タ記憶領域に記憶させた後、これを読み出してモニタ表示画像表示先に繰り返し出力する制御を行う表示制御手段と、表示制御手段に従い、第２の画像デ−タのデ−タ量よりも多く、かつ第１の画像デ−タのデ−タ量よりも少ない第３の画像デ−タを第１の画像デ−タから生成、出力するところのモニタ表示画像生成手段とを備え、第１の表示モニタへの表示時には、第２の画像デ−タに水平補間処理を施して出力する制御を行い、カメラとは別体の第２の表示モニタへの表示時には、カメラの動作モ−ドに応じて、第３の画像デ−タの出力あるいは第２の画像デ−タに水平補間処理を施した出力のいずれか一方を選択的に切り換えて出力する制御を行うことを特徴とするデジタルカメラ。
【請求項５】
請求項４に記載のカメラの動作モ−ドとは１駒撮影と連続撮影であることを特徴とするデジタルカメラ。
【請求項６】
同一の画像をデータ量の異なる複数の画像データに処理する処理手段と、前記複数の画像データのうちデータ量が多い画像データは直接出力し、前記複数の画像データのうちデータ量が少ない画像データは補間処理を施して出力する出力手段と、を有することを特徴とする画像処理装置。
【発明の詳細な説明】
【技術分野】
【０００１】
本発明は、撮像装置からの出力を画像処理した画像デ−タ、あるいは記憶装置に記憶された画像デ−タを表示装置に表示する画像処理装置に関するものである。
【背景技術】
【０００２】
従来のデジタルビデオカメラやデジタルスチルカメラ等の撮像装置においては、デジタルカメラ本体に備えられたＬＣＤモニタや、デジタルカメラからのビデオ信号出力を別体のＴＶモニタに接続して表示する撮影画像表示手段になっている。
【０００３】
特許文献１では、デジタル的に記録された画像デ−タに基づいて、ＴＶモニタもしくはＬＣＤ表示器に画像を表示させる静止画像再生装置が提案されている。
【０００４】
具的には、例えばＩＣカ−ド等にデジタル信号として記録された画像デ−タを読み出し、復元して複数のメモリからなる少なくとも１枚の画像分のフレ−ムメモリに記録し、このフレ−ムメモリからの読み出した画像デ−タに基づき、ＬＣＤ表示手段で画像再生させ、あるいは外部に出力してモニタ再生させるようにする。
【０００５】
そして、前記ＬＣＤ表示手段で画像再生する際には解像度を満たすに必要な画像デ−タ量がＴＶモニタへの表示と比べて少なくて済むことから、内蔵される前記フレ−ムメモリを構成する複数のメモリの一部を非活性化するように制御する。
【０００６】
このとき画像デ−タを外部出力することなくＬＣＤ表示手段で画像再生する場合に、フレ−ムメモリは例えば１／４動作されるものであり、消費電力は例えば０．６Ｗに低減され、ＬＣＤ表示手段で消費される電力を含めても６．５Ｗ程度である。また、画像デ−タを外部出力する場合は、ＬＣＤ表示手段を動作させないので、消費電力は５．５Ｗ程度であり、この再生装置における消費電力の低減と共に、小形化を効果的に促進できるようになる。
【０００７】
また、例えば、特許文献２では画像を表示するためのＬＣＤモニタには、記録媒体に記録済みの画像を表示するだけでなく、撮影画像をリアルタイムに表示することによりファインダの用途としても使用されるのだが（尚、リアルタイムに表示される画像を、以下、スル−動画という）、ＬＣＤモニタに表示されるスル−動画の画角は、完全には記録媒体に記録される記録画像の画角、即ち撮影画角に一致しないため、撮影画角を正確に決めたい場合でも決めることができないという不具合を改善し、撮影者はＬＣＤモニタに表示されたスル−動画により撮影画角を決定することができ、レリ−ズボタンを押せば、その撮影画角の画像を記録媒体に記録することが提案されている。
【０００８】
具体的には、デジタルカメラでは、ＬＣＤモニタ−のアスペクト比と記録画像のアスペクト比とが相違する場合が多く、この場合には、ＬＣＤモニタ−のスル−動画は、記録範囲（記録画像の画角範囲）の周辺部分の画像がカットされて表示されている。上述のような不具合は、スル−動画では、撮影画角を正確に確認することができないことから生じていた。
【０００９】
そこで、この提案では、スル−動画の表示においては記録媒体に記憶される画像の記録範囲のうち周辺部分の画像をモニタに表示することで、ＬＣＤモニタに表示するスル−動画の画角と、記録媒体に記録される画像の画角（撮影画角）とが相違する場合でも、ＬＣＤモニタに表示されるスル−動画により撮影画角を正確に決定することができる電子カメラとなる。
【００１０】
図７にて、従来のデジタルカメラのＴＶモニタあるいは背面ＬＣＤパネル１７１への表示動作について、説明する。
【００１１】
まず撮像（１０１）では水平Ｋ個、垂直Ｌ個からなる入射光部にある光電変換素子からの出力と、不図示の遮光部にある複数の光電変換素子からの出力がなされる。
【００１２】
そして、画像処理（１１０）ではＡＤ変換、暗電流補正、ホワイトバランスなど公知の画像処理の後に撮影画像データであるところのｊｐｅｇ処理されている第１の画像デ−タと、第２の画像デ−タである表示サイズが縮小されたモニタ表示画像デ−タが生成される。
【００１３】
着脱可能な不揮発性メモリである記憶装置（１０３）には、上述した第１の画像デ−タと、第２の画像デ−タの両方あるいは、第１の画像デ−タが格納されている。
【００１４】
記憶装置（１０３）から読み出された第２の画像デ−タであるモニタ表示画像デ−タ、あるいは、画像処理（１１０）で生成されたモニタ表示画像デ−タは、次に、ビデオアウト出力が選択されているか否かを判別し（１２０）、選択されていないときにはモニタ表示画像量をＬＣＤモニタ向けに設定する（１２２）が、その値は、後述するｎｔｓｃ向け表示画像量設定と比べて同じか、あるいは小さいもののＬＣＤ向け表示画像量としては必要量を上回る値である。
【００１５】
さらに、第２の画像デ−タであるモニタ表示画像デ−タがあるか否かを記憶装置から読み出した（１０３）画像のために行う。（１２５）
そして、第２の画像デ−タであるモニタ表示画像デ−タがあるときには続いて拡大表示であるか否かを判別し、（１２６）  第２の画像デ−タがあって、さらに拡大表示ではないときには、第２の画像デ−タをメモリ１３０内部のＶＲＡＭ領域１３１に格納する。（１３０）
ビデオアウト出力が選択されているときには、（１２０）その形式がＮＴＳＣ形式であるかＰＡＬ形式であるかを判別し（１２１）、ＮＴＳＣ形式が選択されていれば、ＮＴＳＣ形式で最適な解像度で表示できるように表示画像量を設定し（１２３）、ＰＡＬ形式が選択されていれば、ＰＡＬ形式で最適な解像度で表示できるように表示画像量を設定する（１２４）。
【００１６】
モニタ表示画像生成は、ビデオアウトが選択されているときおよび、ＬＣＤモニタ表示ではあるが拡大表示が選択されているときになされるが、第１の画像デ−タである撮影画像とモニタ表示画像一時記憶領域とを使って、設定された表示画像量のモニタ表示画像を生成する。
【００１７】
ビデオアウト出力に求められるモニタ表示画像デ−タ量はいずれも、ＬＣＤモニタ表示時より大きいため、図１で説明した本画像デ−タであるところの第１の画像をモニタ表示画像一時記憶領域１３２に記憶した後、設定した表示画像量となるよう、水平、垂直方向の間引き、補間など公知の画像縮小処理を行うことにより生成するものである。
【００１８】
すなわち、図１のＪＰＥＧ画像デ−タ生成部１１３から出力された画像デ−タは、撮影画像としての扱いが最大の目的であるが、ＴＶモニタへの表示や背面ＬＣＤパネル１７１の表示内容を部分的に拡大したいときにも使っているのである。
【００１９】
生成された第２の画像デ−タであるモニタ表示画像デ−タはＶＲＡＭ領域１３１に格納される。
【００２０】
そして、ビデオ信号前処理としてＲＧＢ成分からＹＵＶ成分への変換、出力先に応じたγ変換、さらにビデオエンコ−ドに必要な輝度範囲、色相範囲の設定、信号の同期化などのビデオ信号前処理を行う。
【００２１】
ここでは、ビデオアウトが選択されているときは、フィ−ルド画像への変換も行う。（１４２）
ビデオアウト出力が選択されていないとき、すなわちＬＣＤモニタ表示と、ＮＴＳＣ形式のビデオアウトが選択されているときは、ＮＴＳＣ形式にビデオエンコ−ドし、ＰＡＬ形式のビデオアウトが選択されているときはＰＡＬ形式にビデオエンコ−ドする。（１６１）
このとき、ＬＣＤモニタ表示出力と、ＮＴＳＣ形式のビデオアウト出力とは後述するエンコーダー出力の形態が同じであり、ＬＣＤモニタ表示選択時にｎｔｓｃ向けの表示画像量を設定していてもＬＣＤモニタ表示に不具合を及ぼすものではない。
【００２２】
表示画像がビデオエンコ−ドされた後、再度、ビデオアウト出力が選択されているか否かを判別（１６２）し、ビデオアウトが選択されていないとき、すなわちＬＣＤモニタ表示時は、ＮＴＳＣ形式インタ−フェイスでＬＣＤコントロ−ラへ出力され（１７０）た後、背面ＬＣＤパネルに表示される。（１７１）
ビデオアウトが選択されているときは、ＮＴＳＣあるいはＰＡＬのいずれかの形式にしたがった信号増幅、駆動がなされて（１６３）、接続されたＴＶモニタへ出力される。
【００２３】
このように、ＬＣＤ向け表示画像データ量は、ｎｔｓｃ向け表示画像量設定と比べて同じか、あるいは小さいもののＬＣＤ向け表示画像データ量としては必要量を上回る値である。そのため、一連の撮影動作の中で、無用な時間が発生している。
【特許文献１】特登録２８６５３６０号公報
【特許文献２】特開平２００１−１５７０９７号公報
【発明の開示】
【発明が解決しようとする課題】
【００２４】
近年においては数百万画素からなる撮像素子を用いたデジタルカメラシステムも開発されており、特に一眼レフカメラでは、銀塩フィルムを用いたカメラとの差異なく使えるようにと、さらなる高画素化と、１回の撮影動作にかかる時間の短縮と連続撮影速度のアップを目指している。
【００２５】
高画素化と、１回の撮影動作にかかる時間の短縮と連続撮影速度のアップは相反するところが大きく、さまざまな工夫が必要となるが、上記特許文献１でのモニタ表示先にあわせてフレ−ムメモリとして使っている複数のＳＲＡＭを制御し、ＬＣＤ表示器に画像を表示させる際には不使用のＳＲＡＭを不活性とする内容は、消費電流の軽減を図るものであり、結果として一連の処理の実行開始から表示がなされるまでにかかる時間は、ＬＣＤ表示器とＴＶモニタなど外部表示器と、その異なるデ−タ量に比例するものの、これをより短くすることについては記載がなく、この問題の解決方法も開示されていない。
【００２６】
同様にして上記特許文献２も、スル−動画で周辺部をモニタ表示し撮影画角を正確決定できるようにと表示画像の切り換えをしているが、この問題の解決方法は開示されていない。
【００２７】
本発明は、上記事情を鑑み、モニタ表示画像を、選択されたモニタ表示先の解像度とカメラの動作モ−ドに応じて、制御することにより、カメラのスム−ズかつスピ−ディな撮影動作実現を目的とするものである。
【課題を解決するための手段】
【００２８】
請求項１に記載の画像処理装置は、複数の光電変換素子が２次元に配設された撮像素子を含み、被写体領域からの光束を撮影素子に受けて電気信号に変換し像信号を出力する撮像手段と、前記撮像手段からの像信号を受けて、互いに独立な関連付けされた第１の画像デ−タと第１の画像デ−タのデ−タ量よりも少ない第２の画像デ−タを出力する画像処理手段と、モニタ表示向け画像を表示するモニタ表示手段と、第１と第２のモニタ表示先があって、いづれか選択されたモニタ表示先に応じたデ−タ量でモニタ表示画像を作成し、モニタ表示画像表示先に出力する制御を行う表示制御手段と、表示制御手段に従い、第１の画像デ−タから、第２の画像デ−タのデ−タ量はよりも多く、かつ第１の画像デ−タのデ−タ量よりも少ない第３の画像デ−タを生成、出力するところのモニタ表示画像生成手段と、を備え第２の画像デ−タに水平補間処理を施して出力する制御を行い、第２のモニタへの表示時には、第３の画像デ−タを出力する制御を行うものである。
【００２９】
請求項２に記載のデジタルカメラシステムは、複数の光電変換素子が２次元に配設された撮像素子を含み、被写体領域からの光束を撮影素子に受けて電気信号に変換し像信号を出力する撮像手段と、前記撮像手段からの像信号を受けて、互いに独立な関連付けされた第１の画像デ−タと第１の画像デ−タのデ−タ量よりも少ない第２の画像デ−タを出力する画像処理手段と、モニタ表示向け画像を表示するモニタ表示手段と、第１と第２のモニタ表示先があって、いづれか選択されたモニタ表示先に応じたデ−タ量でモニタ表示画像を作成し、モニタ表示画像表示先に出力する制御を行う表示制御手段と、表示制御手段に従い、第１の画像デ−タから、第２の画像デ−タのデ−タ量はよりも多く、かつ第１の画像デ−タのデ−タ量よりも少ない第３の画像デ−タを生成、出力するところのモニタ表示画像生成手段とを備えたデジタルカメラシステムであって、カメラに備えられたモニタである第１のモニタへの表示時には、第２の画像デ−タに水平補間処理を施して出力する制御を行い、カメラとは別体の第２のモニタへの表示時には、第３の画像デ−タを出力する制御を行うものである。
【００３０】
請求項３に記載のデジタルカメラシステムは、複数の光電変換素子が２次元に配設された撮像素子を含み、被写体領域からの光束を撮影素子に受けて電気信号に変換し像信号を出力する撮像手段と、前記撮像手段からの像信号を受けて、互いに独立な関連付けされた第１の画像デ−タと第１の画像デ−タのデ−タ量よりも少ない第２の画像デ−タを出力する画像処理手段と、モニタ表示向け画像を表示するモニタ表示手段と、モニタ表示向け画像デ−タ記憶領域を内部に有する記憶手段と着脱可能であり、画像処理手段の出力である第１の画像デ−タと第１の画像デ−タのデ−タ量よりも少ない第２の画像デ−タを記憶している不揮発性記憶手段と、カメラに備えられた第１の表示モニタと、カメラとは別体の第２の表示モニタがあって、いづれか一方の選択された表示モニタに応じたデ−タ量でモニタ表示画像を作成し、記憶手段により画像デ−タ記憶領域に記憶させた後、これを読み出してモニタ表示画像表示先に繰り返し出力する制御を行う表示制御手段と、表示制御手段に従い、第１の画像デ−タから、第２の画像デ−タのデ−タ量よりも多く、かつ第１の画像デ−タのデ−タ量よりも少ない第３の画像デ−タを生成、出力するところのモニタ表示画像生成手段とを備えたデジタルカメラシステムであって、第１の表示モニタへの表示時には、第２の画像デ−タに水平補間処理を施して出力する制御を行い、カメラとは別体の第２の表示モニタへの表示時には、第３の画像デ−タを出力する制御を行う。
【００３１】
請求項４に記載のデジタルカメラは、複数の光電変換素子が２次元に配設された撮像素子を含み、被写体領域からの光束を撮影素子に受けて電気信号に変換し像信号を出力する撮像手段と、前記撮像手段からの像信号を受けて、互いに独立な関連付けされた第１の画像デ−タと第１の画像デ−タのデ−タ量よりも少ない第２の画像デ−タを出力する画像処理手段と、モニタ表示向け画像を表示するモニタ表示手段と、モニタ表示向け画像デ−タ記憶領域を内部に有する記憶手段とカメラに備えられた表示モニタである第１の表示モニタとカメラとは別体の第２の表示モニタがあって、いづれか一方の選択された表示モニタにカメラの動作モ−ドに応じて選択されたデ−タ量でモニタ表示画像を作成し、記憶手段により画像デ−タ記憶領域に記憶させた後、これを読み出してモニタ表示画像表示先に繰り返し出力する制御を行う表示制御手段と、表示制御手段に従い、第１の画像デ−タから、第２の画像デ−タのデ−タ量よりも多く、かつ第１の画像デ−タのデ−タ量よりも少ない第３の画像デ−タを生成、出力するところのモニタ表示画像生成手段とを備え、第１の表示モニタへの表示時には、第２の画像デ−タに水平補間処理を施して出力する制御を行い、カメラとは別体の第２の表示モニタへの表示時には、カメラの動作モ−ドに応じて、第３の画像デ−タの出力あるいは第２の画像デ−タに水平補間処理を施した出力のいずれか一方を選択的に切り換えて出力する制御を行うことを特徴とするデジタルカメラ。
【００３２】
請求項６に記載の画像処理装置は、同一の画像をデータ量の異なる複数の画像データに処理する処理手段と、前記複数の画像データのうちデータ量が多い画像データは直接出力し、前記複数の画像データのうちデータ量が少ない画像データは補間処理を施して出力する出力手段と、を有することを特徴とする。
【発明の効果】
【００３３】
本発明によれば、モニタ表示先として、背面ＬＣＤパネル、ＮＴＳＣ形式のビデオ出力によるＴＶモニタ、ＰＡＬ形式のビデオ出力によるＴＶモニタの３つがあって、これらから選択された１つの出力先の解像度に対応するようモニタ表示画像のデータ量を切り換えていて、背面ＬＣＤパネルへの表示を選択した際にはＶＲＡＭ領域のデータ量を補間しているから、データバスの使用頻度極めて少なくなり、一連のカメラ動作時間をこれに相当する分短縮したデジタルカメラシステムとなる。
【００３４】
また、モニタ表示先にあわせて最適な画像デ−タ量を選択する際にカメラの動作モ−ドも考慮し、ＴＶモニタへのビデオアウト出力が選択されていてかつ連続撮影動作モ−ドである時には、既に生成されているＬＣＤモニタ表示向けの画像デ−タをビデオアウト出力に使うことで、バスの使用頻度を軽減し、より高速な連続撮影を行うことができるデジタルカメラシステムとなる。
【発明を実施するための最良の形態】
【００３５】
以下、本発明の実施の形態について説明する。
【実施例１】
【００３６】
以下、本発明の第１の実施の形態を図面を参照して説明する。
【００３７】
図１は、本発明の第１の実施の形態であるデジタルカメラの画像処理装置のブロック図である。
【００３８】
同図に示すように、本画像処理装置は本画像処理全体の制御を行うマイクロコンピュータＰＲＳ１０５と、例えばＣＣＤ等により構成されるエリアイメ−ジセンサ等からなる撮像部１０１と、撮像部１０１から出力される画像信号を処理する画像処理部１１０がある。
【００３９】
画像処理部１１０の出力はデ−タバス１０２を介してメモリ１３０に格納される。デ−タバス１０２にはマイクロコンピュータＰＲＳ１０５や複数の画像デ−タを保存する不揮発性の記憶部材からなる記憶部１０３、パソコンなど外部の装置とのデ−タの授受を行うための外部ＩＦデバイス１０４が接続されている。
【００４０】
マイクロコンピュータＰＲＳ１０５は、たとえば、内部にＣＰＵ（中央演算処理部）、ＲＡＭ、ＲＯＭ、ＥＥＰＲＯＭ（電気的消去可能プログラマブルＲＯＭ）、ビデオコントロ−ラ、入出力ポ−ト等が配置されたワンチップのコンピュ−タ（以下、マイコンと略記す）である。
【００４１】
マイコンＰＲＳ１０５は、ＲＯＭに格納されたシ−ケンスプログラムに基づいて、一連の動作を行う。尚、本件の主旨は、波線で囲また領域にあるのでこの範囲が図１のマイコンＰＲＳ１０５の制御下にあることを明確化すべく矢印を付加しているが、図１中の他の部分もマイコンＰＲＳ１０５の制御下にある。
【００４２】
撮像部１０１はＣＣＤエリアイメ−ジセンサあるいはＣＭＯＳエリアイメ−ジセンサの撮像素子とこれを駆動するセンサ駆動部とＡＧＣなどのアナログ信号処理部、Ａ／Ｄ変換部を備えており、読み出された光電変換出力に適したアナログ処理を施した後、デジタル信号に変換する。
【００４３】
不図示の光学系を通じて、撮影領域からの光束を撮像素子上に結像させており、撮像素子はこれを光電変換し電気的信号としてデジタル値に変換して画像処理部１１０へ出力する。
【００４４】
画像処理部１１０はその内部に基本画像処理部１１１と、基本画像処理部１１１の出力を可逆圧縮するｒａｗ画像デ−タ生成部１１２、非可逆圧縮するＪＰＥＧ画像デ−タ生成部１１３、背面などに装着したモニタに表示する画像を生成するモニタ表示画像デ−タ生成部１１４を有している。基本画像処理部１１１は撮像部１０１からの撮像信号出力を受けてダ−ク補正から、遮光部（オプティカルブラック）の画素デ−タの抽出や画素の傷補正など原画像の処理から、ホワイトバランスやガンマ補正および色補間、色補正等、いわゆる絵作りに関する一連の画像処理を行い、ＲＧＢの各色成分に分けて信号出力する。
【００４５】
画像処理部１１０からの出力デ−タ量は色補間処理を施すことにより、撮像部１０１からの出力されるデ−タ量の整数倍に増加している。
【００４６】
ここで、撮像部１０１からは撮像素子の駆動方法に従いベイヤ−配列にて水平方向の１ライン単位で順次出力される。像処理部１１０ではベイヤ−配列に従った入力内容を、出力時には内部の色補間処理によりＲＧＢ独立、すなわち、入力に対して３倍の画像デ−タ容量となる。
【００４７】
ｒａｗ画像デ−タ生成部１１２は、基本画像処理部１１１よりＲＧＢにて入力された画像デ−タをライン単位で可逆圧縮し、圧縮処理されたデ−タは、メモリ１３０に順次記憶される。
【００４８】
ＪＰＥＧ画像デ−タ生成部１１３は、ＹＵＶ変換部とＪＰＥＧ符号化処理部から構成されている。ＹＵＶ変換部にて基本画像処理部１１１よりＲＧＢにて入力された画像デ−タを輝度成分と色差成分への変換し、ＪＰＥＧ符号化処理部により画像圧縮処理がなされる。
【００４９】
ＪＰＥＧ符号化処理部では入力された画像デ−タをＪＰＥＧ符号化処理により画像圧縮を行う。ここではＤＣＴ（離散コサイン変換）およびハフマン変換を行っており、輝度及び色差からなる信号についてＤＣＴ処理のため輝度信号は縦８ｘ横１６画素、色差信号は８ｘ８画素を最小単位として、ラスタスキャンからジグザグスキャンへ変換するための機能もこの部位に含まれている。
【００５０】
圧縮処理されたデ−タは、メモリ１３０に順次記憶される。
【００５１】
これら符号化処理は撮像部１０１からの撮像デ−タ１画面分を繰り返し行う。このＪＰＥＧ符号化処理の前後でマイコンＰＲＳ１０５は必要ならば撮影日時情報などのヘッダ−やフッダ−を任意の形式で生成し符号化により圧縮された画像デ−タとともにメモリ１３０に格納する。
【００５２】
また、ＪＰＥＧ符号化の際に必要な圧縮率やそのために必要な変換参照デ−タ等の設定値はシャッタ−が押された時点にはマイコンＰＲＳ１０５より設定が完了している。
【００５３】
モニタ表示画像デ−タ生成部１１４では、カメラに備えられた背面ＬＣＤモニタ表示パネル１７１あるいはカメラに接続したＴＶモニタに表示するための画像処理を行う。その内容はフィルタ処理を含めた画像サイズ縮小のための信号処理であり、信号処理後メモリ１３０に格納される。このとき、メモリ１３０へは同一の撮像デ−タより生成された２つの互いに異なる画像デ−タが撮影された画像デ−タとして格納されることになる。
【００５４】
２つの互いに異なる画像サイズの画像デ−タは、画像処理部１１０にて画像縮小処理を施さない第１の画像デ−タと、画像処理部１１０にて画像縮小処理を実施した第２の画像デ−タに分けられる。
【００５５】
縮小処理を施さない画像デ−タは撮影画像デ−タとしての扱いであり、縮小処理を施した第２の画像デ−タはサムネイルやモニタ表示等の撮影画像デ−タの編集や確認に際しての管理情報として扱うことが生成の主目的であり、当然ながら第２の画像デ−タのデ−タ量は第１の画像デ−タのデ−タ量よりも小さい。
【００５６】
ここで縮小処理を施さない画像デ−タである第１の画像デ−タと、縮小処理を施した第２の画像デ−タは互いに独立な画像ファイルとして管理されるが、関連付けがなされている。
【００５７】
メモリ１３０に格納された画像デ−タはその後、カメラの動作の合間を見計らって、後述の記憶装置１０３へ順次格納される。
【００５８】
メモリ１３０は内部にＶＲＡＭ領域１３１とモニタ表示画像一時記憶領域１３２を備えている。
【００５９】
ＶＲＡＭ領域１３１領域に書かれた画像デ−タはマイコンＰＲＳ１０５内蔵のビデオコントロ−ラ１０６により所定のタイミングで読み出され、ＴＶモニタあるいは背面ＬＣＤパネル１７１に表示出力される。
【００６０】
ＶＲＡＭ領域１３１のサイズは、表示先となるデバイスに応じて最適な解像度となるよう可変する。
【００６１】
このＶＲＡＭ領域のサイズと、その表示先となるデバイスの関係は図３を使って詳細に説明する。
【００６２】
モニタ表示画像一時記憶領域１３２は、モニタ表示画像生成部１２７がＶＲＡＭ領域１３１に書き込む画像デ−タを生成する際に、その元となるＶＲＡＭ領域１３１より大きい画像デ−タを記憶させておく領域である。
【００６３】
モニタ表示画像生成部１２７は、モニタ表示出力にモニタ表示画像デ−タ生成部１１４から出力される画像デ−タを使わないとき、モニタ表示画像一時記憶領域１３２に記憶されている画像データよりＶＲＡＭ領域１３１にモニタ表示画像デ−タを生成する。
【００６４】
生成される画像データは例えば、記憶装置１０３により読み込んだものや、ＪＰＥＧ画像デ−タ生成部１１３から出力された画像デ−タあるいはｒａｗ画像デ−タ生成部１１２から出力された画像デ−タをその元とするものであり、これらのいずれか１つが、このとき、モニタ表示画像一時記憶領域１３２に記憶されている。
【００６５】
ＪＰＥＧ画像デ−タ生成部１１３から出力された画像デ−タは、撮影画像としての扱いが最大の目的であるが、ＴＶモニタや背面ＬＣＤパネル１７１に表示内容を部分的に拡大したいときにも使っている。
【００６６】
記憶装置１０３の記憶部材は、本システムから着脱可能であって、本システムに装着した状態で揮発性記憶部材からのデ−タ書き込みを単数あるいは複数の画面分行った後に、本システムから取り外し、本システムのデ−タ形式で読み出し可能な別のシステムに装着して記憶されているデ−タの再生や編集、保存を行えるようになっている。
【００６７】
先述のメモリ１３０が、複数の画像デ−タの保存を行うために比較的書き込み速度の速い揮発性の記憶部材から構成されていることに対して、記憶装置１０３は比較的書き込み速度の遅い着脱可能な不揮発性記憶部材から構成されていることが異なる。
【００６８】
上述の第１の画像デ−タと第２の画像デ−タはともに記憶装置１０３にて上述の目的を満足するための形式にて管理される。
【００６９】
マイコンＰＲＳ１０５に内蔵されているビデオコントロ−ラ１０６はデ−タバス１０２を介してＶＲＡＭ領域１３１の内容を読み出し、デ−タ変換部１４０へ出力する。
【００７０】
デ−タ変換部１４０は、画像信号の形態をＶＲＡＭ領域１３１に記憶しているときのＲＧＢ成分を受けてＹＵＶ成分に変換し、さらにＴＶモニタあるいは背面ＬＣＤパネル１７１のいずれか表示出力先に最適なγ変換や補間縮小処理を行い、ビデオエンコ−ドに必要な輝度範囲、色相範囲の設定、信号の同期化などのビデオ信号前処理を行う。さらにビデオアウトが選択されているときは、フィ−ルド画像への変換も行う。
【００７１】
デ−タ変換部１４０の出力は、ビデオエンコ−ダ−部１６１にてＮＴＳＣ形式あるいはＰＡＬ形式の信号に変換される。
【００７２】
ビデオエンコ−ダ−部１６１の出力は、切換えＳＷ部１６２にてＬＣＤコントロ−ラ１７０あるいはビデオアンプ＆ドライバ部１６３に送られる。ビデオアンプ＆ドライバ部１６３はＴＶモニタへの出力の際に要求されるドライブ能力を備えるための公知の機能である。
【００７３】
ＬＣＤコントロ−ラ１７０は、背面ＬＣＤパネル１７１と組み合わせて使うもので、入力信号形態はＮＴＳＣである。したがって切換えＳＷ１６２による出力先が背面ＬＣＤパネル１７１であるときは信号形態がＮＴＳＣとなっている。
【００７４】
切換えＳＷ部１６２、ビデオエンコ−ダ−１６１の出力信号形態などモニタ表示画像出力系の制御は、マイコンＰＲＳ１０５及びその内部のビデオコントロ−ラ１０６にて行われている。
【００７５】
ＲＧＢの各色成分毎に格納され、カメラに備えられた背面ＬＣＤ表示パネル１７１のコントロ−ラであるＬＣＤコントロ−ラ１７０の駆動部とのインタ−フェイスもＲＧＢで行われる。出力内容は入力と同じく、ライン単位で行われる。
【００７６】
図２について説明する。
【００７７】
図２は、カメラ撮影時の観測状態及び図１の撮像部１０１に含まれる撮像素子からの出力画像と画像処理部１１０にて一連の信号処理が施された後の出力画像の内容を示す。
【００７８】
同図（Ａ）は、カメラ接眼部からファイダを覗いた様子であり、ＡＦＰ１〜ＡＦＰ３は３つの測距点を示しており、ＡＦＰ２なる測距点で焦点調節している状態を表している。
【００７９】
このとき、図１の撮像部１０１に含まれている撮像素子は同図（Ｂ）に示すようにＫ×Ｌ画素であって、同図（Ｃ）では、これを画像処理部１１０の基本画像処理部１１１にてＯＢクランプからダ−ク補正、傷補正、ホワイトバランスや色補正、色補間等一連の信号処理がＲＧＢの各色毎に施されてＲ、Ｇ、Ｂの各色毎にＫｘＬ画素からなる出力画像になっていることをを示す。
【００８０】
すなわち、ＫｘＬ画素からなる撮像素子の画像出力が画像処理部１１０の基本画像処理部１１１にて信号処理されることによって３倍の容量となる画像出力になっている。
【００８１】
なお、同図（Ａ）においては下端示す各表示はシャッタ−速度や焦点調節の合焦判定等、カメラの設定状態を示すもので、説明のために全ての表示部が点灯した状態を示しているのであって、カメラの動作時は、動作状態に応じて点灯あるいは消灯が独立に行われ、同図のように全ての表示が点灯することはない。
【００８２】
また、測距点ＡＦＰ１〜ＡＦＰ３はそれぞれ、焦点調節に選択されると、不図示の光学系および照明装置により、撮影者が充分確認できる短い時間で外側の四辺形と内側の四辺形に囲まれた領域が赤く点灯する。
【００８３】
図３について説明する。
【００８４】
図３は、モニタ表示画像の出力先に応じた形態とデータ量について示す図であり、図１に示すＶＲＡＭ領域１３１とデ−タ変換部１４０での動作内容、ビデオエンコ−ダ−１６１の出力の関係と機能をも簡潔に示している。
【００８５】
図３（Ａ）は背面ＬＣＤパネル１７１への出力について示している。
【００８６】
また、図３（Ｂ）はＴＶモニタへの出力について示している。
【００８７】
ＶＲＡＭ領域１３１に格納されているモニタ表示画像のデ−タ量は、背面ＬＣＤパネル１７１への出力時には３７６画素ｘ２４０ライン、ＮＴＳＣ形式でＴＶモニタへ向けた出力の際には７５２画素Ｘ４８０ライン、ＰＡＬ形式でＴＶモニタへ向けた出力の際には７５２画素Ｘ５７６ラインである。
【００８８】
そして、ＴＶモニタ向け出力の際にはライン単位でフィ−ルド１、フィ−ルド２の２つのフィ−ルドに向けてＶＲＡＭ領域１３１からの読み出しを行う。ＮＴＳＣでは４８０本のラインを２４０本ずつ交互に読み出す。
【００８９】
背面ＬＣＤパネル１７１への出力時には、ＶＲＡＭ領域１３１から読み出される１ラインあたり３７６画素のデ−タをデ−タ変換部１４０にて水平補間し７５２画素に増やしている。さらに、フィ−ルド１、フィ−ルド２にはともに同じ表示画像デ−タを出力する。
【００９０】
したがって、ビデオエンコ−ダ−１６１からは、ＴＶモニタへの出力の際にはＮＴＳＣ形式あるいはＰＡＬ形式のいずれか選択された形式に最適な解像度の画像信号が出力され、背面ＬＣＤパネル１７１への出力の際にも最適な解像度の画像信号が出力される。
【００９１】
上述の説明は、表示画像デ−タの量の説明を主としたものであり、デ−タ変換部１４０では、ＲＧＢからＹＵＶへの信号形態の変換やγ変換、ビデオエンコ−ダ−１６１とのインタ−フェ−スも行っている。
【００９２】
では、図４にて図１に示したシステムの動作にてＴＶモニタあるいは背面ＬＣＤパネル１７１への表示動作について、モニタ表示画像生成部１２７の動作を含め詳細に説明する。
【００９３】
図４はＴＶモニタあるいは背面ＬＣＤパネル１７１への表示動作の流れを示す図である。
【００９４】
説明を判り易くするため同一ブロックは図１と同じ番号を付けている。
【００９５】
まず撮像（１０１）では図２（Ｂ）に示すように水平Ｋ個、垂直Ｌ個からなる入射光部にある光電変換素子からの出力と、不図示の遮光部にある複数の光電変換素子からの出力がなされる。
【００９６】
そして、画像処理（１１０）では図１の画像処理部１１０に示すＡＤ変換、暗電流補正、ホワイトバランスなど既に説明した公知の画像処理の後に第１の画像デ−タであるｊｐｅｇ処理された撮影画像と第２の画像デ−タである表示サイズが縮小されたモニタ表示画像デ−タが生成される。
【００９７】
着脱可能な不揮発性メモリである記憶装置（１０３）には、上述した第１の画像デ−タと第２の画像デ−タの両方あるいは、第１の画像デ−タが格納されている。
【００９８】
記憶装置（１０３）から読み出された第２の画像デ−タであるモニタ表示画像デ−タ、あるいは、画像処理（１１０）で生成されたモニタ表示画像デ−タは、次に、ビデオアウト出力が選択されているか否かを判別し（１２０）、選択されていないときにはモニタ表示画像量をＬＣＤモニタ向けに設定する。（１２２）
さらに、第２の画像デ−タであるモニタ表示画像デ−タがあるか否かを記憶装置から読み出した（１０３）画像のために行う。（１２５）
そして、第２の画像デ−タであるモニタ表示画像デ−タがあるときには続いて拡大表示であるか否かを判別し、（１２６）  第２の画像デ−タがあって、さらに拡大表示ではないときには、第２の画像デ−タをメモリ１３０内部のＶＲＡＭ領域１３１に格納する。（１３０）
第２の画像デ−タがない、あるいは第２の画像デ−タがあるが拡大表示を行うときには、別途モニタ表示画像を生成する必要があるためモニタ表示画像生成を行う。（１２７）
このような処理は記憶装置１０３からの画像データについて行うためのものであり、一連の撮影動作時になされるものではない。
【００９９】
ビデオアウト出力が選択されているときには、（１２０）その形式がＮＴＳＣ形式であるかＰＡＬ形式であるかを判別し（１２１）、ＮＴＳＣ形式が選択されていれば、ＮＴＳＣ形式で最適な解像度で表示できるように表示画像量を設定し（１２３）、ＰＡＬ形式が選択されていれば、ＰＡＬ形式で最適な解像度で表示できるように表示画像量を設定する（１２４）。
【０１００】
モニタ表示画像生成は、ビデオアウトが選択されているときおよび、ＬＣＤモニタ表示ではあるが拡大表示が選択されているときになされるが、第１の画像デ−タである撮影画像とモニタ表示画像一時記憶領域とを使って、設定された表示画像量のモニタ表示画像を生成する。
【０１０１】
ビデオアウト出力に求められるモニタ表示画像デ−タ量はいずれも、ＬＣＤモニタ表示時より大きいため、図１で説明した本画像デ−タであるところの第１の画像をモニタ表示画像一時記憶領域１３２に記憶した後、設定した表示画像量となるよう、水平、垂直方向の間引き、補間など公知の画像縮小処理を行うことにより生成するものである。
【０１０２】
すなわち、図１のＪＰＥＧ画像デ−タ生成部１１３から出力された画像デ−タは、撮影画像としての扱いが最大の目的であるが、ＴＶモニタへの表示や背面ＬＣＤパネル１７１の表示内容を部分的に拡大したいときにも使っているのである。
【０１０３】
ここで不図示であるが、ビデオアウトでの拡大表示も機能に用意されている。
【０１０４】
ビデオアウトが選択されているときには、拡大表示判別の処理はなく、第１の画像デ−タである撮影画像から第２の画像デ−タ生成の際に行う、表示領域の指定の機能に変わりはなく、単に指定する領域が全領域であるか部分的なものかの違いに過ぎない。
【０１０５】
生成された第２の画像デ−タであるモニタ表示画像デ−タはＶＲＡＭ領域１３１に格納される。
【０１０６】
その後、再度、ビデオアウト出力が選択されているか否かを判別し（１３５）、ビデオアウト出力が選択されていないとき、すなわち、ＬＣＤモニタへの表示であるときには表示画像デ−タを水平補間する。（１４１）
この水平補間により、メモリ１３０からの少ないデ−タ量であっても、ＮＴＳＣ形式のビデオ信号選択時とエンコ−ダのインタ−フェイスを同じくして使える。
【０１０７】
水平補間されて水平方向１ラインのデ−タが等しくなったＬＣＤ向け表示画像デ−タとビデオアウト出力向け表示画像デ−タは、ビデオ信号前処理としてＲＧＢ成分からＹＵＶ成分への変換、出力先に応じたγ変換、さらにビデオエンコ−ドに必要な輝度範囲、色相範囲の設定、信号の同期化などのビデオ信号前処理を行う。ここでは、ビデオアウトが選択されているときは、フィ−ルド画像への変換も行う。（１４２）
ビデオアウトが選択されていないとき、すなわちＬＣＤモニタ表示あるいは、ＮＴＳＣ形式のビデオアウトが選択されているときは、ＮＴＳＣ形式にビデオエンコ−ドし、ＰＡＬ形式のビデオアウトが選択されているときはＰＡＬ形式にビデオエンコ−ドする。（１６１）
ＬＣＤモニタ表示選択時と、ＮＴＳＣ形式のビデオアウト選択時との違いは、表示画像量にある。ＬＣＤモニタ表示選択時のほうが少ないのだが、それは表示に最適な解像度に基づくものである。
【０１０８】
表示画像がビデオエンコ−ドされた後、再度、ビデオアウト出力が選択されているか否かを判別する。（１６２）
ビデオアウトが選択されていないとき、すなわちＬＣＤモニタ表示時は、ＮＴＳＣ形式インタ−フェイスでＬＣＤコントロ−ラへ出力され（１７０）た後、背面ＬＣＤパネルに表示される。（１７１）
ビデオアウトが選択されているときは、ＮＴＳＣあるいはＰＡＬのいずれかの形式にしたがった信号増幅、駆動がなされて（１６３）、接続されたＴＶモニタへ出力される。
【０１０９】
このように、第１の実施の形態では、モニタ表示先の選択肢に背面ＬＣＤパネル、ＮＴＳＣ形式のビデオ出力によるＴＶモニタ、ＰＡＬ形式のビデオ出力によるＴＶモニタの３つがあって、これらから選択された１つの出力先の解像度に対応するようモニタ表示画像のデータ量を切り換えている。
【０１１０】
そして、背面ＬＣＤパネルへの表示を選択した際にはＶＲＡＭ領域のデータ量を補間しているから、モニタ表示画像データがＶＲＡＭ領域から読み出されて経由するデータバス１０２の使用量が極めて少なくなる。
【０１１１】
水平補間をしないときとは単純に考えて１／２に近いものとなるから、一連のカメラ動作時間をこれに相当する分短縮することができる。
【０１１２】
また、ｎｔｓｃ形式のＴＶモニタ出力時との比較ではデータバス１０２の使用量は１／４に軽減される。
【実施例２】
【０１１３】
以下、本発明の実施の第２の形態を図面を参照して説明する。
【０１１４】
図５は、本発明の第２の実施形態であるデジタルカメラの画像処理装置のブロック図である。
【０１１５】
第１の実施の形態では、カメラの撮影時の動作モ−ドにかかわらず、撮影から表示までを一連の処理で行う構成であった。
【０１１６】
図５に示す構成が実施の第２の形態であるが、その動作カメラの撮影時の動作モ−ドにより、表示画像デ−タの処理内容を選択的に行うものである。
【０１１７】
図５を使って動作説明をする。
【０１１８】
図５は図４と比較して連写時の対応が加えられている。
【０１１９】
図５はＴＶモニタあるいは背面ＬＣＤパネル１７１への表示動作の流れを示す図である。
【０１２０】
説明を判り易くするため同一ブロックは図１と同じ番号を付けている。
【０１２１】
各ブロックの説明は既に第１の実施の形態にて行っているので、ここでは省略する。
【０１２２】
では、図５にてＴＶモニタあるいは背面ＬＣＤパネル１７１への表示動作について、モニタ表示画像生成部１２７の動作を含め詳細に説明する。
【０１２３】
まず撮像（１０１）では図２（Ｂ）に示すように水平Ｋ個、垂直Ｌ個からなる入射光部にある光電変換素子からの出力と、不図示の遮光部にある複数の光電変換素子からの出力がなされる。
【０１２４】
そして、画像処理（１１０）では図１の画像処理部１１０に示すＡＤ変換、暗電流補正、ホワイトバランスなど既に説明した公知の画像処理の後に第１の画像デ−タであるｊｐｅｇ処理された撮影画像と第２の画像デ−タである表示サイズが縮小されたモニタ表示画像デ−タが生成される。
【０１２５】
着脱可能な不揮発性メモリである記憶装置（１０３）には、上述した第１の画像デ−タと第２の画像デ−タの両方あるいは、第１の画像デ−タが格納されている。
【０１２６】
次に、カメラの撮影動作モ−ドが高速連写モ−ドであるか否かを判別する。（１１９）
高速連写モ−ドであるとき、および高速連写モ−ドではないが、ビデオアウト出力が選択されているか否かを判別し（１２０）、選択されていないときにはモニタ表示画像量をＬＣＤモニタ向けに設定する。（１２２）
さらに、第２の画像デ−タであるモニタ表示画像デ−タがあるか否かを記憶装置１０３から読み出した画像デ−タについて行う。（１２５）
第２の画像デ−タであるモニタ表示画像デ−タがあるときには続いて拡大表示であるか否かを判別し（１２６）、第２の画像デ−タがあって、拡大表示しないときには、第２の画像デ−タをメモリ１３０内部のＶＲＡＭ領域１３１に格納する。（１３０）
また、第２の画像デ−タがない、あるいは第２の画像デ−タがあるが拡大表示を行うときには、別途モニタ表示画像を生成する必要があるためモニタ表示画像生成を行う。（１２７）
このような処理は記憶装置１０３からの画像データについて行うためのものであり、一連の撮影動作時になされるものではない。
【０１２７】
処理１２０に戻って、ビデオアウト出力が選択されているとき（１２０）には、その形式がＮＴＳＣ形式であるかＰＡＬ形式であるかを判別し（１２１）、ＮＴＳＣ形式が選択されていれば、ＮＴＳＣ形式で最適な解像度で表示できるように表示画像量を設定し（１２３）、ＰＡＬ形式が選択されていれば、ＰＡＬ形式で最適な解像度で表示できるように表示画像量を設定する（１２４）。
【０１２８】
モニタ表示画像生成は、ビデオアウトが選択されているときおよび、ＬＣＤモニタ表示ではあるが拡大表示が選択されているときになされるが、第１の画像デ−タである撮影画像とモニタ表示画像一時記憶領域とを使って、設定された画像デ−タ量のモニタ表示画像を生成する。（１２７）
ビデオアウト出力に求められるモニタ表示画像デ−タ量はいずれも、ＬＣＤモニタ表示時より大きいため、図１で説明した本画像デ−タであるところの第１の画像をモニタ表示画像一時記憶領域１３２に記憶した後、設定した表示画像量となるよう、水平、垂直方向の間引き、補間など公知の画像縮小処理を行うことにより生成するものである。
【０１２９】
すなわち、図１のＪＰＥＧ画像デ−タ生成部１１３から出力された画像デ−タは、撮影画像としての扱いが最大の目的であるが、ＴＶモニタへの表示や背面ＬＣＤパネル１７１の表示内容を部分的に拡大したいときにも使っているのである。
【０１３０】
ここで不図示であるが、ビデオアウトでの拡大表示も機能に用意されている。
【０１３１】
ビデオアウトが選択されているときには、拡大表示判別の処理はなく、第１の画像デ−タである撮影画像から第２の画像デ−タ生成の際に行う、表示領域の指定の機能に変わりはなく、単に指定する領域が全領域であるか部分的なものかの違いに過ぎない。
【０１３２】
生成された第２の画像デ−タであるモニタ表示画像デ−タはＶＲＡＭ領域１３１に格納される。
【０１３３】
その後、再度、高速連写モ−ドが選択されているか否かを判別し（１３４）、
高速連写モ−ドであるとき、および高速連写モ−ドではないが、ビデオアウト出力が選択されているか否かを判別し（１２０）、選択されていないとき、すなわち、ＬＣＤモニタへの表示であるときには表示画像デ−タを水平補間する。（１４１）
この水平補間により、メモリ１３０からの少ないデ−タ量であっても、ＮＴＳＣ形式のビデオ信号選択時とエンコ−ダのインタ−フェイスを同じくして使うことができる。
【０１３４】
水平補間されて水平方向１ラインのデ−タが等しくなったＬＣＤ向け表示画像デ−タ、およびビデオアウト出力向け表示画像デ−タは、ビデオ信号前処理としてＲＧＢ成分からＹＵＶ成分への変換、出力先に応じたγ変換、さらにビデオエンコ−ドに必要な輝度範囲、色相範囲の設定、信号の同期化などのビデオ信号前処理を行う。ここでは、ビデオアウトが選択されているときは、フィ−ルド画像への変換も行う。（１４２）
ビデオアウト出力が選択されていないとき、すなわちＬＣＤモニタ表示時と、ＮＴＳＣ形式のビデオアウトが選択されているときは、ＮＴＳＣ形式にビデオエンコ−ドし、ＰＡＬ形式のビデオアウトが選択されているときはＰＡＬ形式にビデオエンコ−ドする。（１６１）
ＬＣＤモニタ表示選択時と、ＮＴＳＣ形式のビデオアウト選択時との違いは、表示画像量にある。ＬＣＤモニタ表示選択時のほうが少ないのだが、それは表示に最適な解像度に基づくものである。
【０１３５】
モニタ表示画像がビデオエンコ−ドされた後、再度、ビデオアウト出力が選択されているか否かを判別（１６２）し、ビデオアウトが選択されていないとき、すなわちＬＣＤモニタ表示時は、ＮＴＳＣ形式インタ−フェイスでＬＣＤコントロ−ラへ出力され（１７０）た後、背面ＬＣＤパネルに表示される。（１７１）
ビデオアウト出力が選択されているときは、ＮＴＳＣあるいはＰＡＬのいずれかの形式にしたがった信号増幅、駆動がなされて（１６３）、接続されたＴＶモニタへ出力される。
【０１３６】
このように、実施の第２の形態では、モニタ表示先にあわせて最適な画像デ−タ量を選択するもののその際にはカメラの動作モ−ドも考慮し、ＴＶモニタへのビデオアウト出力が選択されていてかつ連続撮影動作モ−ド時には、既に生成されているＬＣＤモニタ表示向けの画像デ−タをビデオアウト出力に使うことで、データバスの使用頻度を軽減し、高速な連続撮影を行うことができる。
【０１３７】
（発明と実施例の対応）
上記実施の各形態において、撮像部１０１が本発明の撮像手段に相当し、画像処理部１１０が信号処理手段に相当し、メモリ１３０が内部記憶手段に相当し、ＴＶモニタあるいは背面ＬＣＤ表示パネル１７１がモニタ表示手段に相当し、マイクロコンピュータＰＲＳ１０５が表示制御手段に相当し、モニタ表示画像生成部１２７がモニタ表示画像生成手段に相当する。
【０１３８】
以上が実施例の各構成と本発明の各構成の対応関係であるが、本発明は、これら実施例の構成に限られるものではなく、例えば、入力される信号が、ＲＧＢなる色成分や輝度成分、色差成分でないときであったり、また撮像素子がＣＣＤ撮像素子でなかったり、あるいはモニタ表示先がＬＣＤやＴＶモニタでないときであって、実施例で示した内容とは異なっていても、請求項で示した機能が達成できる構成であれば良いことは言うまでもない。
【図面の簡単な説明】
【０１３９】
【図１】本第１の実施の形態の電気システムを示すブロック図である。
【図２】本第１の実施の形態のカメラのファインダ−を覗いた様子とそのとき撮像される画像、および画像処理された後の画像の関係を示す図である。
【図３】本第１の実施の形態のモニタ表示向け画像の出力先に応じた形態とデータ量について示す図
【図４】本第１の実施の形態のモニタ表示向け画像の処理の流れ示す図である。
【図５】本実施の第２の形態のモニタ表示向け画像の処理の流れを示す図である。
【図６】従来の電気システムを示すブロック図である。
【符号の説明】
【０１４０】
１０１  撮像部
１０２  デ−タバス
１０３  記憶装置
１０４  外部インタ−フェイス
１０５  マイコンＰＲＳ
１０６  ビデオコントロ−ラ
１１０  画像処理部
１１１  基本画像処理部
１１２  ｒａｗ画像デ−タ生成部
１１３  ｊｐｅｇ画像デ−タ生成部
１１４  モニタ表示画像デ−タ生成部
１２７  モニタ表示画像生成部
１３０  メモリ
１４０  デ−タ変換部
１６１  ビデオエンコ−ダ−
１６２  切換えスイッチ
１６３  ビデオアンプ＆ドライバ
１７０  ＬＣＤコントロ−ラ
１７１  背面ＬＣＤパネル
【図１】
2005150835.tif 000003
【図２】
2005150835.tif 000004
【図３】
2005150835.tif 000005
【図４】
2005150835.tif 000006
【図５】
2005150835.tif 000007
【図６】
2005150835.tif 000008